(57)【要約】【課題】ガラス枠の交換を伴うことなく、遊技盤ユニットのみの交換を行っても、この交換の効果を遊技者に対して十分に伝えることができる遊技機を提供すること。【解決手段】遊技機１の遊技盤ユニット３０には、遊技者側に向かってガラス枠８０の前方に張り出す装飾体６０が枠体２０に対して閉じ状態のガラス枠８０の一部を挟み込み可能に組み付けられている。装飾体６０は、装飾体６０自身が、ヒンジ結合によるガラス枠８０の開閉を妨げることがないように、ガラス枠８０の一部を挟み込んだ進出状態から退行状態に切り替え可能に遊技盤ユニット３０に組み付けられている。【選択図】図４
2015131042.tif 000002
【特許請求の範囲】
【請求項１】
枠体に組み付けられている遊技盤ユニットの遊技面が枠体に対して開閉可能にヒンジ結合されたガラス枠によって覆われている遊技機であって、
遊技盤ユニットには、遊技者側に向かってガラス枠の前方に張り出す装飾体が枠体に対して閉じ状態のガラス枠の一部を挟み込み可能に組み付けられており、
装飾体は、装飾体自身が、ヒンジ結合によるガラス枠の開閉を妨げることがないように、ガラス枠の一部を挟み込んだ進出状態から退行状態に切り替え可能に遊技盤ユニットに組み付けられていることを特徴とする遊技機。
【請求項２】
請求項１に記載の遊技機であって、
遊技盤ユニットは、遊技面を有する遊技盤と、遊技盤に発射された遊技球を案内するレール飾りと、から構成されており、
装飾体は、レール飾りに対してブラケットを介して組み付けられていることを特徴とする遊技機。
【請求項３】
請求項１に記載の遊技機であって、
遊技盤ユニットは、遊技面を有する遊技盤から構成されており、
装飾体は、遊技盤に対してブラケットを介して組み付けられていることを特徴とする遊技機。
【請求項４】
請求項１〜３に記載の遊技機であって、
装飾体を進出状態にロックするロック機構が備えられていることを特徴とする遊技機。
【発明の詳細な説明】
【技術分野】
【０００１】
本発明は、遊技機に関し、詳しくは、枠体に組み付けられている遊技盤ユニットの遊技面が枠体に対して開閉可能にヒンジ結合されたガラス枠によって覆われている遊技機に関する。
【背景技術】
【０００２】
従来、パチンコ機等の遊技機の遊技盤ユニットの遊技面は、内枠等の枠体に対してヒンジ結合された透明なガラス枠によって覆われている。ここで、下記特許文献１には、ガラス枠に各種のランプ、スピーカおよび役物等（いずれも図示しない）を有する装飾体を備えたパチンコ機が開示されている。これにより、パチンコ機の装飾効果や演出効果を高めることができるため、遊技者の遊技意欲を向上させることができる。
【先行技術文献】
【特許文献】
【０００３】
【特許文献１】特開２０１３−６０８９号公報
【発明の概要】
【発明が解決しようとする課題】
【０００４】
しかしながら、上述した特許文献１の技術では、例えば、パチンコ機の機種を変更（いわゆる、パチンコ機の台を入替）する場合、遊技盤ユニットのみを交換することが一般的である。すなわち、例えば、パチンコ機の機種を変更（いわゆる、台を入替）する場合、パチンコ機を構成する主たる部材である外枠、内枠、遊技盤ユニットおよびガラス枠のうち、遊技盤ユニットのみを交換することが一般的である。したがって、ガラス枠が変更されないため、パチンコ機の全体のイメージが変わり映えすることがなく、遊技盤ユニットの交換の効果が遊技者に対して十分に伝わらないことがあった。
【０００５】
本発明は、このような課題を解決しようとするもので、その目的は、ガラス枠の交換を伴うことなく、遊技盤ユニットのみの交換を行っても、この交換の効果を遊技者に対して十分に伝えることができる遊技機を提供することである。
【課題を解決するための手段】
【０００６】
本発明は、上記の目的を達成するためのものであって、以下のように構成されている。
請求項１に記載の発明は、枠体に組み付けられている遊技盤ユニットの遊技面が枠体に対して開閉可能にヒンジ結合されたガラス枠によって覆われている遊技機であって、遊技盤ユニットには、遊技者側に向かってガラス枠の前方に張り出す装飾体が枠体に対して閉じ状態のガラス枠の一部を挟み込み可能に組み付けられており、装飾体は、装飾体自身が、ヒンジ結合によるガラス枠の開閉を妨げることがないように、ガラス枠の一部を挟み込んだ進出状態から退行状態に切り替え可能に遊技盤ユニットに組み付けられていることを特徴とする構成である。
この構成によれば、遊技盤ユニットを別の遊技盤ユニットに交換すると、装飾体も別の装飾体に交換されることとなる。そのため、ガラス枠の交換を伴うことがなくても、遊技盤ユニットのみを交換（遊技盤ユニットを別の遊技盤ユニットに交換）すると、遊技機の全体のイメージが変わり映えする。したがって、この交換の効果を遊技者に対して十分に伝えることができる。
【０００７】
また、請求項２に記載の発明は、請求項１に記載の遊技機であって、遊技盤ユニットは、遊技面を有する遊技盤と、遊技盤に発射された遊技球を案内するレール飾りと、から構成されており、装飾体は、レール飾りに対してブラケットを介して組み付けられていることを特徴とする構成である。
この構成によれば、既存の部材（この場合、レール飾り）に対して装飾体を簡便に取り付けることができる。
【０００８】
また、請求項３に記載の発明は、請求項１に記載の遊技機であって、遊技盤ユニットは、遊技面を有する遊技盤から構成されており、装飾体は、遊技盤に対してブラケットを介して組み付けられていることを特徴とする構成である。
この構成によれば、請求項２と同様の作用効果を得ることができる。すなわち、既存の部材（この場合、遊技盤）に対して装飾体を簡便に取り付けることができる。また、この構成によれば、レール飾り体が無い遊技盤ユニットにも装飾体を取り付けることができるため、適応させる遊技機の機種を広げることができる。
【０００９】
また、請求項４に記載の発明は、請求項１〜３に記載の遊技機であって、装飾体を進出状態にロックするロック機構が備えられていることを特徴とする構成である。
この構成によれば、ロック機構のロックを行うと、ガラス枠のロックも兼ねることとなるため、ガラス枠は、ガラス枠自身のロックとこのロック機構のロックとの２重ロックとなる。したがって、ガラス枠の不正な開放を抑制できる。
【図面の簡単な説明】
【００１０】
【図１】本発明の実施例１に係るパチンコ機の全体斜視図である。
【図２】図１の分解斜視図である。
【図３】図２の遊技盤ユニットの分解斜視図である。
【図４】図１のパチンコ機において、遊技盤ユニットの取り替えの手順を説明する図である。
【図５】本発明の実施例２に係る遊技盤ユニットの分解斜視図である。
【発明を実施するための形態】
【００１１】
以下、本発明を実施するための形態を、図面を用いて説明する。
（実施例１）
まず、本発明の実施例１を、図１〜４を用いて説明する。まず、図１〜３を参照して、本発明の実施例１に係るパチンコ機１の全体構成を説明する。
【００１２】
このパチンコ機１は、主として、遊技島のベース（いずれも図示しない）に組み付けられる外枠１０と、この外枠１０に対して開閉可能にヒンジ結合（第１のヒンジ結合）される内枠２０と、この内枠２０に対して組み付けられる遊技盤ユニット３０と、この内枠２０に対して開閉可能にヒンジ結合（第２のヒンジ結合）されるガラス枠８０とから構成されている（図１〜２参照）。
【００１３】
これら外枠１０と、内枠２０と、遊技盤ユニット３０と、ガラス枠８０とのうち、遊技盤ユニット３０について詳述していく。なお、残りの外枠１０と、内枠２０と、ガラス枠８０とは、公知のものでよいため、その詳細な説明は省略することとする。図３に示すように、遊技盤ユニット３０は、主として、外レール４４を有する遊技面４２を備えた遊技盤４０と、遊技盤４０に発射された遊技球（図示しない）を案内するレール飾り体５０と、装飾体６０とから構成されている。
【００１４】
レール飾り体５０は、外レール４４の外側の上部（遊技者側から向かって左上部）に位置するように遊技面４２に組み付けられる第１のレール飾り５２と、これと同様に、外レール４４の外側の下部（遊技者側から向かって左下部）に位置するように遊技面４２に組み付けられる第２のレール飾り５４と、内レール５６ａを有し遊技者側から向かって右上部と右下部とを橋渡すように遊技面４２に組み付けられる第３のレール飾り５６とから構成されている。
【００１５】
装飾体６０は、例えば、ランプ、スピーカおよび役物等（いずれも図示しない）を備えたユニットから構成されている。このように装飾体６０を備えていると、従来技術と同様に、パチンコ機１の装飾効果や演出効果を高めることができるため、遊技者の遊技意欲を向上させることができる。なお、この装飾体６０は、第３のレール飾り５６に対してブラケット７０を介してヒンジ結合（第３のヒンジ結合）されている。
【００１６】
ここで、このヒンジ結合（第３のヒンジ結合）について詳述すると、ヒンジの一方側の部材であるブラケット７０の上端には、上アングル７２が張り出す格好で形成されている。これと同様に、ブラケット７０の下端には、上アングル７２と対向するように下アングル７４が張り出す格好で形成されている。この上アングル７２には、装飾体６０のヒンジ軸６２ａを組み付け可能な略Ｊ字状の貫通溝７２ａが形成されている。このように略Ｊ字状に形成されていると、組み付けたヒンジ軸６２ａを抜け難くできる。
【００１７】
また、この下アングル７４には、装飾体６０のヒンジ穴６４ａに組み付け可能なヒンジ軸７４ａが形成されている。また、ヒンジの他方側の部材である装飾体６０には、上アングル７２に対応する位置に凹み６２が形成されている。この凹み６２の凹面には、上述したヒンジ軸６２ａが形成されている。また、下アングル７４に対応する位置には、上述したヒンジ穴６４ａが形成されている。
【００１８】
そして、装飾体６０のヒンジ穴６４ａにブラケット７０のヒンジ軸７４ａを組み付けた後に、ブラケット７０の貫通溝７２ａに装飾体６０のヒンジ軸６２ａを組み付けると、このヒンジ結合（第３のヒンジ結合）が完了する。これにより、遊技盤４０に対して装飾体６０を開閉できる。なお、この「開状態」が、特許請求の範囲に記載の「退行状態」に相当し、この「閉状態」が、特許請求の範囲に記載の「進出状態」に相当する。
【００１９】
なお、このようにヒンジ結合（第３のヒンジ結合）されていると、装飾体６０の閉状態において、ブラケット７０が遊技者側に向かって張り出すため、レール飾り体５０と閉状態の装飾体６０との間に隙間Ｓを確保できる。そのため、この隙間Ｓにガラス枠８０を配置できる。すなわち、この隙間Ｓに内枠２０に対して閉じ状態のガラス枠８０の一部（遊技者側から向かって右上部）を挟み込むことができる。
【００２０】
これらの記載が、特許請求の範囲に記載の「装飾体は、装飾体自身が、ヒンジ結合によるガラス枠の開閉を妨げることがないように、ガラス枠の一部を挟み込んだ進出状態から退行状態に切り替え可能に遊技盤ユニットに組み付けられている」に相当する。また、内枠２０には、内枠２０自身を外枠１０に対して閉状態にロックする第１のフック２２と、装飾体６０を内枠２０に対して閉状態にロックする第２のフック２４と、ガラス枠８０を内枠２０に対して閉状態にロックする第３のフック２６とが備えられている。
【００２１】
もちろん、これら各フック２２、２４、２６に対応するために、外枠１０には、第１のフック２２を係合可能な係合片（図示しない）が形成され、装飾体６０には、第２のフック２４を係合可能な係合片（図示しない）が形成され、ガラス枠８０には、第３のフック２６を係合可能な係合片（図示しない）が形成されている。
【００２２】
なお、この第１のフック２２によるロックが第１のロックに相当し、第２のフック２４によるロックが第２のロックに相当し、第３のフック２６によるロックが第３のロックに相当することとする。なお、この第２のロックが、特許請求の範囲に記載の「ロック機構」に相当する。遊技盤ユニット３０は、これら遊技盤４０と、レール飾り体５０と、装飾体６０とから構成されている。
【００２３】
次に、図１、４を参照して、上述した構成のパチンコ機１の作用を説明する。まず、図１に示す状態から、装飾体６０のロック（第２のロック）を解除する作業を行う（図４（Ａ）参照）。次に、ロック（第２のロック）を解除した装飾体６０を開ける作業を行う（図４（Ｂ）参照）。なお、上述したように、装飾体６０は、遊技盤４０側（ブラケット７０）に対してヒンジ結合（第３のヒンジ結合）されているため、このヒンジ結合を介して、図４（Ｂ）に示すように、装飾体６０を開けることができる。
【００２４】
次に、ガラス枠８０のロック（第３のロック）を解除して、ロックを解除したガラス枠８０を開ける作業を行う（図４（Ｃ）参照）。なお、上述したように、ガラス枠８０は、内枠２０に対してヒンジ結合（第２のヒンジ結合）されているため、このヒンジ結合を介して、図４（Ｃ）に示すように、ガラス枠８０を開けることができる。次に、内枠２０に組み付けられている遊技盤ユニット３０を取り外す作業を行う（図４（Ｄ）参照）。次に、取り外した遊技盤ユニット３０とは異なる別の遊技盤ユニット１３０を内枠２０に組み付ける作業を行う（図４（Ｅ、Ｆ）参照）。
【００２５】
この遊技盤ユニット１３０には、装飾体６０とは異なる別の装飾体１６０が備えられている。次に、ガラス枠８０を閉じて、閉じたガラス枠８０をロック（第３のロック）する作業を行う（図４（Ｇ）参照）。最後に、装飾体１６０を閉じて、閉じた装飾体１６０をロック（第２のロック）する作業を行う（図４（Ｈ）参照）。このようにして、装飾体６０を有する遊技盤ユニット３０を別の装飾体１６０を有する別の遊技盤ユニット１３０に交換する作業を完了できる。
【００２６】
本発明の実施例１に係るパチンコ機１は、上述したように構成されている。この構成によれば、遊技盤ユニット３０を別の遊技盤ユニット１３０に交換すると、装飾体６０も別の装飾体１６０に交換されることとなる。そのため、ガラス枠８０の交換を伴うことがなくても、遊技盤ユニットのみを交換（遊技盤ユニット３０を別の遊技盤ユニット１３０に交換）すると、パチンコ機１の全体のイメージが変わり映えする。したがって、この交換の効果を遊技者に対して十分に伝えることができる。
【００２７】
また、この構成によれば、装飾体６０は、第３のレール飾り５６に対してブラケット７０を介してヒンジ結合（第３のヒンジ結合）されている。そのため、既存の部材（この場合、第３のレール飾り５６）に対して装飾体６０を簡便に取り付けることができる。
【００２８】
また、この構成によれば、装飾体６０を内枠２０に対して閉状態にロックする第２のロックを備えている。そのため、この第２のロックを行うと、ガラス枠８０のロックも兼ねることとなるため、ガラス枠８０は、ガラス枠８０自身のロックとこの第２のロックとの２重ロックとなる。したがって、ガラス枠８０の不正な開放を抑制できる。
【００２９】
（実施例２）
次に、本発明の実施例２を、図５を用いて説明する。この実施例２のパチンコ機２０１は、既に説明した実施例１のパチンコ機１と比較すると、ブラケット７０が遊技盤４０に組み付けられている形態である。なお、以下の説明にあたって、実施例１で説明した部材と同一の部材には、図面において、同一符号を付すことで、重複する説明は省略することとする。
【００３０】
図５に示すように、装飾体６０は、遊技盤４０に対してブラケット７０を介してヒンジ結合（第３のヒンジ結合）されている。このようにヒンジ結合（第３のヒンジ結合）されていると、実施例１と同様に、装飾体６０の閉状態において、ブラケット７０が遊技者側に向かって張り出すため、レール飾り体５０と閉状態の装飾体６０との間に隙間Ｓを確保できる。そのため、この隙間Ｓにガラス枠８０を配置できる。すなわち、この隙間Ｓに内枠２０に対して閉じ状態のガラス枠８０の一部（遊技者側から向かって右上部）を挟み込むことができる。
【００３１】
本発明の実施例２に係るパチンコ機２０１は、上述したように構成されている。この構成によれば、実施例１と同様の作用効果を得ることができる。ただし、この実施例２では、装飾体６０を取り付ける既存の部材が遊技盤４０となる。また、この構成によれば、レール飾り体５０（第１のレール飾り５２、第２のレール飾り５４、第３のレール飾り５６）が無い遊技盤ユニット３０にも装飾体６０を取り付けることができるため、適応させるパチンコ機１の機種を広げることができる。
【００３２】
上述した内容は、あくまでも本発明の一実施の形態に関するものであって、本発明が上記内容に限定されることを意味するものではない。
各実施例では、装飾体６０は、ブラケット７０を介したヒンジ結合（第３のヒンジ結合）によって遊技盤４０側に組み付けられている形態を説明した。しかし、これに限定されるものでなく、装飾体６０は、ヒンジ結合（第２のヒンジ結合）によるガラス枠８０の開閉を妨げることがないように、ガラス枠８０の一部を挟み込んだ進出状態から退行状態に切り替え可能に、スライド機構やリンク機構等（いずれも公知のものでよいため、図示しない）を介して遊技盤４０側に組み付けられていても構わない。
【００３３】
また、各実施例では、「枠体」が「内枠２０」である形態を説明した。しかし、これに限定されるものでなく、「枠体」が、「外枠１０またはガラス枠８０」であっても構わない。また、各実施例では、ヒンジ軸６２ａ、７４ａは、その軸方向がパチンコ機１の上下方向に沿って形成されている形態を説明した（図３参照）。しかし、これに限定されるものでなく、ヒンジ軸６２ａ、７４ａは、その軸方向がパチンコ機１の左右方向（幅方向）に沿って形成されていても構わない。その場合、ブラケット７０の向きが縦向きから横向きとなる。
【００３４】
また、各実施例では、装飾体６０を有する遊技盤ユニット３０を別の装飾体１６０を有する別の遊技盤ユニット１３０に交換する作業の説明において、装飾体６０のロック（第２のロック）を解除する作業を行い（図４（Ａ）参照）、このロック（第２のロック）を解除した装飾体６０を開ける作業を行った後に（図４（Ｂ）参照）。ガラス枠８０のロック（第３のロック）を解除して、このロックを解除したガラス枠８０を開ける作業を行う（図４（Ｃ）参照）形態を説明した。しかし、これに限定されるものでなく、これら装飾体６０のロック（第２のロック）とガラス枠８０のロック（第３のロック）とを同時に解除して、これら装飾体６０およびガラス枠８０を同時にまたは順番に開ける作業を行っても構わない。
【符号の説明】
【００３５】
１      パチンコ機（遊技機）
２０    内枠
３０    遊技盤ユニット
４０    遊技盤
６０    装飾体
５０    レール飾り体
５２    第１のレール飾り
５４    第２のレール飾り
５６    第３のレール飾り
７０    ブラケット
８０    ガラス枠
【図１】
2015131042.tif 000003
【図２】
2015131042.tif 000004
【図３】
2015131042.tif 000005
【図４】
2015131042.tif 000006
【図５】
2015131042.tif 000007